(57)【特許請求の範囲】
【請求項１】
内釜が出し入れ自在に収納される本体部と、
前記内釜を加熱する加熱手段と、
ヒンジにより前記本体部に開閉自在に設けられ、当該本体部に収納された前記内釜の開口を閉塞する蓋部と、
前記ヒンジ側を後部として、前記本体部あるいは前記蓋部の前部に設けられ、炊飯動作を指示する操作部と、
前記本体部あるいは前記蓋部の前記操作部よりも手前側の位置に設けられ、無線通信端末との間で近距離無線通信を行うアンテナ部が収容された無線感知部と、
前記本体部の前部外枠に手前側に突出して設けられた蓋開閉ボタンと、
を備え、
前記無線感知部は、前記蓋部の前部側壁から突出して設けられ、前記蓋開閉ボタンの真上であって、前記蓋開閉ボタンより手前側に突出していることを特徴とする炊飯器。
【請求項２】
前記無線感知部の感知面は、上下方向の下端が上端よりも手前側に突出して傾斜していることを特徴とする請求項１記載の炊飯器。
【発明の詳細な説明】
【技術分野】
【０００１】
本発明は、無線通信端末と近距離無線通信する炊飯器に関するものである。
【背景技術】
【０００２】
従来の炊飯器として、無線通信端末を用いて炊飯器とで近距離無線通信を相互に行うものがある（例えば、特許文献１参照）。
【先行技術文献】
【特許文献】
【０００３】
【特許文献１】特開２０１３−２１５５５６号公報
【発明の概要】
【発明が解決しようとする課題】
【０００４】
従来の炊飯器においては、無線通信端末とで無線通信する無線感知部を蓋部に設けている場合には、蓋部に蒸気口が設けられているため、無線通信端末を無線感知部にかざす際に、蒸気口からの蒸気により火傷をする危険性があった。また、蓋部からの熱により無線通信端末が不具合を起こす可能性があった。【０００５】
本発明は、前述のような課題を解決するためになされたもので、火傷の危険性がなく、蓋部からの熱で無線通信端末が不具合を起こすようなことのない炊飯器を提供することを目的とする。
【課題を解決するための手段】
【０００６】
本発明に係る炊飯器は、内釜が出し入れ自在に収納される本体部と、前記内釜を加熱する加熱手段と、ヒンジにより前記本体部に開閉自在に設けられ、当該本体部に収納された前記内釜の開口を閉塞する蓋部と、前記ヒンジ側を後部として、前記本体部あるいは前記蓋部の前部に設けられ、炊飯動作を指示する操作部と、前記本体部あるいは前記蓋部の前記操作部よりも手前側の位置に設けられ、無線通信端末との間で近距離無線通信を行うアンテナ部が収容された無線感知部と、前記本体部の前部外枠に手前側に突出して設けられた蓋開閉ボタンと、を備え、前記無線感知部は、前記蓋部の前部側壁から突出して設けられ、前記蓋開閉ボタンの真上であって、前記蓋開閉ボタンより手前側に突出しているものである。
【発明の効果】
【０００７】
本発明によれば、無線感知部を本体部あるいは蓋部の操作部よりも手前側の位置に設けているので、炊飯器が炊飯中で、蓋部の蒸気口から蒸気が吹き出していても、火傷するようなことがなくなり、また、無線通信端末が蓋部からの熱による不具合を起こすということがなくなる。
【図面の簡単な説明】
【０００８】
【図１】本発明の実施の形態１に係る炊飯器の外観を示す斜視図である。
【図２】図１に示す炊飯器の正面図である。
【図３】図１の炊飯器の蓋部を開けて示す斜視図である。
【図４】図１の炊飯器を拡大して示す縦断面図である。
【図５】図４の無線通信端末の概略構成を示すブロック図及び図１の炊飯器の概略構成を示すブロック図である。
【図６】図１の無線感知部の変形例１を示す炊飯器の側面図である。
【図７】図１の炊飯器と異なる炊飯器において、図１の無線感知部の変形例２を示す側面図である。
【図８】本発明の実施の形態２に係る炊飯器の正面図である。
【図９】図８に示す炊飯器の側面図である。
【図１０】本発明の実施の形態３に係る炊飯器の正面図である。
【図１１】図１０に示す炊飯器の側面図である。
【発明を実施するための形態】
【０００９】
実施の形態１．
図１は本発明の実施の形態１に係る炊飯器の外観を示す斜視図、図２は図１に示す炊飯器の正面図、図３は図１の炊飯器の蓋部を開けて示す斜視図、図４は図１の炊飯器を拡大して示す縦断面図である。
図１〜図４において、本実施の形態１に係る炊飯器１００は、内釜１１が出し入れ自在に収納され、収納された内釜１１を加熱する加熱手段である誘導加熱コイル１２を有する本体部１０と、ヒンジ３３により本体部１０に開閉自在に設けられ、本体部１０に収納された内釜１１の開口を閉塞する蓋部３０と、ヒンジ３３側を後部として、例えば蓋部３０の前部側壁３０ａに設けられ、炊飯動作を指示する操作部５１を有する操作表示部５０と、例えば本体部１０の操作表示部５０よりも手前側の位置に設けられ、無線通信端末８０との間で近距離無線通信を行うアンテナ部７１が収容された無線感知部７０とを備えている。
【００１０】
本体部１０は、側面部が筒状に形成された外枠１３と、外枠１３の下部に設けられ、本体部１０の底板１５を形成する下枠１４とで外郭が構成されている。また、本体部１０は、筒形状の内遮熱板１６と、内遮熱板１６の外周面に密着して取り付けられた胴ヒーター１７と、内遮熱板１６の下に設置されたほぼ深皿形状のコイル台１８と、コイル台１８の中央部に設けられた温度センサー１９と、電源基板２０とを備えている。この本体部１０には、内遮熱板１６とコイル台１８とで有底筒形状の内釜収納部２２が形成されている。
【００１１】
前述の誘導加熱コイル１２は、通電により交番磁界を発生し、内釜１１を電磁誘導により加熱する。胴ヒーター１７は、炊飯時及び保温時に通電されて発熱する。温度センサー１９は、例えばサーミスタからなり、内釜１１の底部に当接して内釜１１の温度を検出する。
【００１２】
電源基板２０には、胴ヒーター１７に通電するヒーター通電回路、交流電力を直流電力に変換する整流回路、整流回路からの直流電力を高周波電力に変換し誘導加熱コイル１２に供給するインバーター回路、インバーター回路とヒーター通電回路とを制御する加熱制御部等が実装されている。インバーター回路のスイッチング素子には放熱フィンが設けられている。
【００１３】
蓋部３０は、上部のヒンジ３３側の位置に蒸気口３１が設けられ、内側に取り外し自在に装着された内蓋３２を備えている。この蓋部３０は、本体部１０に形成された内釜収納部２２の開口を閉じたときに蓋開閉ボタン２１により係止される。蓋開閉ボタン２１は、本体部１０の前部外枠１０ａに手前側に突出して設けられ、蓋部３０が閉じられたときにロック機構２１ａにより蓋部３０を係止する。また、蓋開閉ボタン２１は、奧側に押圧されたときにはロック機構２１ａによる蓋部３０の係止を解除する。
【００１４】
操作表示部５０は、炊飯キー、保温キー、メニュー選択キー等を有する操作部５１と、この操作部５１のキー操作に応じて炊飯動作、炊飯機能等を表示する表示部５２とを備えている。この操作表示部５０には、表示部５２と対向する位置に表示窓５２ａが設けられている。蓋部３０の内側の前部には、操作表示部５０に対向する位置に操作基板５３が設置されている。この操作基板５３には、操作部５１からの操作信号に応じて、電源基板２０の加熱制御部を動作させる指令信号を出力すると共に、操作信号に基づく炊飯動作を表示部５２に表示する制御部、ブザー、後述する通信部等が実装されている。
【００１５】
無線感知部７０は、本体部１０の前部外枠１０ａに設けられた蓋開閉ボタン２１の真上であって、蓋部３０の前部側壁３０ａに設置され、蓋開閉ボタン２１より手前側に突出している（図４参照）。この無線感知部７０は、前述したようにアンテナ部７１が収容されている。アンテナ部７１は、基板あるいはフィルム状のシートにプリントされており、無線感知部７０の感知面７０ａの内側に貼り付けられている。無線感知部７０の感知面７０ａは、床面に対し直角になっている。アンテナ部７１は、基板あるいはフィルム状のシートに接続された薄板ケーブルあるいはリード線と接続されている。この薄板ケーブルあるいはリード線は、操作基板５３に実装された通信部に接続されている。
【００１６】
ここで、無線通信端末８０及び炊飯器１００の概略構成について図５を用いて説明する。
図５は図４の無線通信端末の概略構成を示すブロック図及び図１の炊飯器の概略構成を示すブロック図である。
無線通信端末８０には、端末制御部８１、端末表示部８２、端末通信部８３等により構成され、使用者の操作により、白米、無洗米、玄米等の米情報、この米情報以外の新たな米情報、早炊き、炊き込み、おかゆ等の炊飯情報、この炊飯情報以外の新たな炊飯情報が炊飯メニューとして通信網介して取り込まれている。また、無線通信端末８０には、無線通信端末８０の操作により、炊飯器１００に設定された識別番号が書き込まれている。
【００１７】
炊飯器１００には、前述したように、制御部６０、制御部６０に操作基板５３上で接続された加熱制御部６１、通信部６２、ブザー６３、記憶部６４等が設けられ、また、制御部６０に接続された操作表示部５０、温度センサー１９、加熱制御部６１に接続された誘導加熱コイル１２、胴ヒーター１７等が設けられている。
【００１８】
通信部６２は、無線通信端末８０からの識別番号の信号がアンテナ部７１を介して受信されると、受信信号から識別番号を抽出して制御部６０に出力する。また、米情報、炊飯情報の信号が受信されたときには、受信信号から米情報、炊飯情報を抽出して制御部６０に出力する。
【００１９】
制御部６０は、識別番号が入力されると、記憶部６４に保存された炊飯器１００の識別番号を読み出して一致するかどうかを判定し、一致するときには受信許可情報を通信部６２及びアンテナ部７１を通じて送信する。また、制御部６０は、通信許可情報の出力により、米情報、炊飯情報の炊飯メニューが入力されると記憶部６４に保存し、無線通信端末８０により選択された炊飯メニューの炊飯指示を受けたときには、炊飯指示に従って記憶部６４から炊飯メニューを読み出して、その炊飯メニューに応じた指令信号を加熱制御部６１を出力する。
【００２０】
前記のように構成された炊飯器１００においては、蓋部３０の前部側壁３０ａに設置された無線感知部７０に無線通信端末８０をかざすと、前述したように、無線通信端末８０と無線感知部７０との間で近距離無線通信が行われる。
【００２１】
以上のように、無線感知部７０を、本体部１０の前部外枠１０ａに設けられた蓋開閉ボタン２１の上方に位置する蓋部３０の前部側壁３０ａに設置している。この構成により、炊飯器１００が炊飯中で、蓋部３０の蒸気口３１から蒸気が吹き出していても、火傷するようなことがなくなり、また、無線通信端末８０が蓋部３０からの熱による不具合を起こすということがなくなる。
【００２２】
また、蒸気が出る炊飯中には、無線通信端末８０と無線感知部７０との間での近距離無線通信が行えないという制限がなくなり、使い勝手が向上する。
【００２３】
さらに、無線感知部７０を蓋部３０の前部側壁３０ａに設置しているので、操作部５１のキーを無線通信端末８０で押してしまうという意に反した動作を防止できる。
【００２４】
（変形例１）
本実施の形態１では、無線感知部７０の感知面７０ａが床面に対し直角になっていることを述べたが、図６に示すように、無線感知部７０の感知面７０ａを傾斜させても良い。図６は図１の無線感知部の変形例１を示す炊飯器の側面図である。
【００２５】
変形例１における無線感知部７０の感知面７０ａは、上下方向の下端が上端よりも手前側に突出して傾斜している。このように、無線感知部７０の感知面７０ａを傾斜させることにより、無線感知部７０に対し無線通信端末８０をかざし易くなる。このため、実施の形態１の効果に加えて、無線通信端末８０と無線感知部７０との間での近距離無線通信を容易に行える。
【００２６】
（変形例２）
また、本実施の形態１では、無線感知部７０が蓋開閉ボタン２１より手前側に突出していることを述べたが、図７に示すように、無線感知部７０を蓋部３０の前部側壁３０ａの内側に設置しても良い。図７は図１の炊飯器と異なる炊飯器において、図１の無線感知部の変形例２を示す側面図である。
【００２７】
変形例２における無線感知部７０の感知面７０ａは、蓋部３０の前部側壁３０ａと同じ面上に設けられている。また、この変形例２においては、端末当て部７２が設けられている。端末当て部７２は、蓋部３０の前部側壁３０ａの無線感知部７０よりも下側の位置に手前側に突出して設けられている。
【００２８】
無線通信端末８０と無線感知部７０との間で近距離無線通信を行う場合、無線通信端末８０を無線感知部７０にかざすと共に、無線通信端末８０を端末当て部７２に当てる。
このように、無線通信端末８０を端末当て部７２に当てて、無線感知部７０との間で近距離無線通信を行うようにしているので、実施の形態１の効果に加えて、無線通信端末８０と無線感知部７０との間での近距離無線通信を確実に行うことができる。
【００２９】
実施の形態２．
図８は本発明の実施の形態２に係る炊飯器の正面図、図９は図８に示す炊飯器の側面図である。なお、実施の形態１と同様及び相当部分には同じ符号を付し、実施の形態１と異なる部分だけを説明する。
【００３０】
本実施の形態２における無線感知部７０は、蓋開閉ボタン２１よりも手前側に突出し、蓋開閉ボタン２１の周囲を囲むように設置されている。つまり、無線感知部７０そのものは、蓋開閉ボタン２１の周囲を囲むようにリング状に形成され、無線感知部７０の感知面７０ａが蓋開閉ボタン２１よりも手前側に突出している。無線通信端末８０と無線感知部７０との間で近距離無線通信を行う場合、無線通信端末８０を無線感知部７０の感知面７０ａに当てて行う。
【００３１】
以上のように本実施の形態２によれば、無線感知部７０は、蓋開閉ボタン２１よりも手前側に突出し、蓋開閉ボタン２１の周囲を囲むように設置されているので、蓋開閉ボタン２１に接触することなく、無線通信端末８０と無線感知部７０との間で近距離無線通信を行うことができる。また、無線通信端末８０を無線感知部７０の感知面７０ａに当てて近距離無線通信を行うことができるので、実施の形態１の効果に加えて、無線通信端末８０と無線感知部７０との間での近距離無線通信を確実に行うことができる。
【００３２】
実施の形態３．
図１０は本発明の実施の形態３に係る炊飯器の正面図、図１１は図１０に示す炊飯器の側面図である。なお、実施の形態１と同様及び相当部分には同じ符号を付し、実施の形態１と異なる部分だけを説明する。
【００３３】
本実施の形態３においては、蓋開閉ボタン２１が本体部の前部外枠１０ａに前部外枠１０ａよりも奧側に設けられている。無線感知部７０は、前部外枠１０ａと同じ面上であって、蓋開閉ボタン２１の周囲を囲むように設置されている。つまり、前述の実施の形態２と同様に、無線感知部７０そのものは、蓋開閉ボタン２１の周囲を囲むようにリング状に形成され、無線感知部７０の感知面７０ａが蓋開閉ボタン２１よりも手前側に突出している。無線通信端末８０と無線感知部７０との間で近距離無線通信を行う場合、無線通信端末８０を無線感知部７０の感知面７０ａに当てて行う。
【００３４】
以上のように本実施の形態３によれば、蓋開閉ボタン２１が本体部１０の前部外枠１０ａに前部外枠１０ａよりも奧側に設けられ、無線感知部７０は、前部外枠１０ａと同じ面上であって、蓋開閉ボタン２１の周囲を囲むように設置されている。この構成により、蓋開閉ボタン２１に接触することなく、無線通信端末８０と無線感知部７０との間で近距離無線通信を行うことができる。また、無線通信端末８０を無線感知部７０の感知面７０ａに当てて近距離無線通信を行うことができるので、実施の形態１の効果に加えて、無線通信端末８０と無線感知部７０との間での近距離無線通信を確実に行うことができる。
【００３５】
なお、実施の形態１〜３では、無線通信端末８０と近距離無線通信を行う無線感知部７０を蓋部３０の前部に操作表示部５０を有する炊飯器１００に適用したが、これに限定されるものではない。例えば、ヒンジ３３側を後部として、本体部１０の前部上面に操作表示部５０を有する炊飯器に適用しても良い。この炊飯器においては、本体部１０の前部枠体に無線感知部７０を設置する。
【符号の説明】
【００３６】
１０  本体部、１０ａ  前部外枠、１１  内釜、１２  誘導加熱コイル、１３  外枠、１４  下枠、１５  底板、１６  内遮熱板、１７  胴ヒーター、１８  コイル台、１９  温度センサー、２０  電源基板、２１  蓋開閉ボタン、２１ａ  ロック機構、２２  内釜収納部、３０  蓋部、３０ａ  前部側壁、３１  蒸気口、３２  内蓋、３３  ヒンジ、５０  操作表示部、５１  操作部、５２  表示部、５２ａ  表示窓、５３  操作基板、６０  制御部、６１  加熱制御部、６２  通信部、６３  ブザー、６４  記憶部、７０  無線感知部、７０ａ  感知面、７１  アンテナ部、７２  端末当て部、８０  無線通信端末、８１  端末制御部、８２  端末表示部、８３  端末通信部、１００  炊飯器。
【図１】
0006678752.tif 000002
【図２】
0006678752.tif 000003
【図３】
0006678752.tif 000004
【図４】
0006678752.tif 000005
【図５】
0006678752.tif 000006
【図６】
0006678752.tif 000007
【図７】
0006678752.tif 000008
【図８】
0006678752.tif 000009
【図９】
0006678752.tif 000010
【図１０】
0006678752.tif 000011
【図１１】
0006678752.tif 000012